(57)【要約】【課題】リモコンや携帯機器を操作することなく簡便な動作で遠隔操作することが可能な表示装置を提供する。【解決手段】表示装置１は、表示部８の映像出力方向の空間に置かれた被検出体を検出して被検出体の空間情報を導出する検出部２と、表示部８の映像出力方向の空間に置かれた操作面設定体を用いて表示部８の画面に対応する仮想的な操作面Ｍを設定する操作面設定部５と、操作面Ｍ内の被検出体である右手ＨＲの人差し指Ｆ６の位置を示す検出ポイントＤを表示部８の画面上に描画する画像信号を生成する入力画面処理部６と、操作面Ｍ内の人差し指Ｆ６が操作者側から表示部８側に向かって操作面Ｍに到達したことを識別して操作面Ｍに到達した人差し指Ｆ６の到達位置に係る検出ポイントＤを用いて操作面Ｍの１点を選択したこととする入力ポイントを決定する入力ポイント決定部７と、を備える。【選択図】図２
2015035151.tif 000002
【特許請求の範囲】
【請求項１】
表示部と、
前記表示部の画面の法線方向の空間に置かれた被検出体を検出するとともに前記被検出体の空間情報を導出する検出部と、
前記表示部の画面の法線方向の空間に置かれた操作面設定体を用いて前記表示部の画面に対応する仮想的な操作面を設定する操作面設定部と、
前記操作面内の前記被検出体の位置を示す検出ポイントを前記表示部の前記画面上に描画するための画面データに係る画像信号を生成する入力画面処理部と、
前記操作面内の前記被検出体が操作者側から前記表示部側に向かって前記操作面に到達したことを識別して前記操作面に到達した前記被検出体の到達位置に係る前記検出ポイントを用いて前記操作面の１点を選択したこととする入力ポイントを決定する入力ポイント決定部と、
を備えることを特徴とする表示装置。
【請求項２】
前記操作面設定部が、操作者の体の少なくとも一部を前記操作面設定体として用いて前記操作面を設定することを特徴とする請求項１に記載の表示装置。
【請求項３】
前記表示部の前記画面が矩形をなし、
前記操作面設定部が、操作者の手の少なくとも一部を前記表示部の前記画面の少なくとも一辺に対応付けて前記操作面を設定することを特徴とする請求項２に記載の表示装置。
【請求項４】
前記表示部の前記画面が矩形をなし、
前記操作面設定部が、操作者の手のいずれかの一点を前記表示部の前記画面のいずれかの頂点に対応付けて前記操作面を設定することを特徴とする請求項２に記載の表示装置。
【請求項５】
前記操作面設定部が、棒状の部材を前記操作面設定体として用いて前記操作面を設定することを特徴とする請求項１に記載の表示装置。
【請求項６】
前記表示部の前記画面が矩形をなし、
前記操作面設定部が、前記棒状の部材の少なくとも一部を前記表示部の前記画面の少なくとも一辺に対応付けて前記操作面を設定することを特徴とする請求項５に記載の表示装置。
【発明の詳細な説明】
【技術分野】
【０００１】
本発明は表示装置に関する。
【背景技術】
【０００２】
テレビジョン受信機に代表される表示装置の多くはリモートコントローラ（以下リモコンと称する）を用いて装置から離れた場所から遠隔操作される。そして、昨今の表示装置にはリモコンに代わる携帯機器を用いて遠隔操作されるものもある。このような従来の表示装置が例えば特許文献１及び２に開示されている。
【０００３】
特許文献１及び２に記載された従来の表示装置はリモコン操作機能を有する携帯電話機によって遠隔操作される。これらの携帯電話機の表示部にはリモコン操作用の画面が表示され、操作者はその携帯電話機の画面を見ながら表示装置の操作を行う。このようにして、携帯電話機を用いた簡単な操作で表示装置、例えばテレビジョン受信機における選局などの制御を行うことができるようにしている。
【先行技術文献】
【特許文献】
【０００４】
【特許文献１】特開２０１１−１９３４２６号公報
【特許文献２】特開２００５−１５０８３１号公報
【発明の概要】
【発明が解決しようとする課題】
【０００５】
しかしながら、上記従来の表示装置は遠隔操作するためのリモコンや携帯機器を見失う場合があり、それらリモコンや携帯機器を探す手間が掛かる虞があることが懸念される。また、表示装置の遠隔操作に携帯機器を用いる場合、携帯機器自体に表示装置の遠隔操作用のアプリケーション等を設定して起動する必要がある。これにより、携帯機器にそのアプリケーションのための記憶容量を確保する必要があり、アプリケーションの起動にも手間が掛かる可能性がある。
【０００６】
本発明は、上記の点に鑑みなされたものであり、リモコンや携帯機器を操作することなく簡便な動作で遠隔操作することが可能な表示装置を提供することを目的とする。
【課題を解決するための手段】
【０００７】
上記の課題を解決するため、本発明の表示装置は、表示部と、前記表示部の画面の法線方向の空間に置かれた被検出体を検出するとともに前記被検出体の空間情報を導出する検出部と、前記表示部の画面の法線方向の空間に置かれた操作面設定体を用いて前記表示部の画面に対応する仮想的な操作面を設定する操作面設定部と、前記操作面内の前記被検出体の位置を示す検出ポイントを前記表示部の前記画面上に描画するための画面データに係る画像信号を生成する入力画面処理部と、前記操作面内の前記被検出体が操作者側から前記表示部側に向かって前記操作面に到達したことを識別して前記操作面に到達した前記被検出体の到達位置に係る前記検出ポイントを用いて前記操作面の１点を選択したこととする入力ポイントを決定する入力ポイント決定部と、を備えることを特徴としている。
【０００８】
この構成によれば、表示装置はその表示部と操作者との間の空間に表示部の画面に対応する仮想的な操作面を設定する。そして、操作者が操作面に対して被検出体、例えば手指などを近づけ操作面に到達させると、表示装置は操作面に到達したその手指の到達位置において操作面の１点を選択したこととする入力ポイントを決定する。すなわち、その入力ポイントに対応する表示部の画面上のポイントが選択される。したがって、操作者はリモコンや携帯機器を操作することなく簡便な動作で遠隔から入力操作を行うことができる。
【０００９】
また、上記構成の表示装置において、前記操作面設定部が、操作者の体の少なくとも一部を前記操作面設定体として用いて前記操作面を設定することを特徴としている。
【００１０】
この構成によれば、表示部の画面に対応する操作面が操作者の体の一部を用いて設定される。したがって、表示装置を遠隔操作するにあたって、操作者はリモコンや携帯機器を操作することなく、さらに他の部材も必要としない。そして、操作者は表示装置の遠隔操作を素早く開始することができる。
【００１１】
また、上記構成の表示装置において、前記表示部の前記画面が矩形をなし、前記操作面設定部が、操作者の手の少なくとも一部を前記表示部の前記画面の少なくとも一辺に対応付けて前記操作面を設定することを特徴としている。
【００１２】
この構成によれば、矩形をなす表示部の画面の一辺が操作者の手の一部に対応するので、操作者は操作面の把握が容易になる。したがって、操作者は操作面を設定するために手を表示部に向かって差し出すことで、簡単に表示装置の遠隔操作を素早く開始することができる。
【００１３】
また、上記構成の表示装置において、前記表示部の前記画面が矩形をなし、前記操作面設定部が、操作者の手のいずれかの一点を前記表示部の前記画面のいずれかの頂点に対応付けて前記操作面を設定することを特徴としている。
【００１４】
この構成によれば、矩形をなす表示部の画面のいずれかの頂点が操作者の手のいずれかの一点に対応するので、操作者は操作面の把握が容易になる。したがって、操作者は操作面を設定するための手を表示部に向かって差し出すことで、簡単に表示装置の遠隔操作を素早く開始することができる。
【００１５】
また、上記構成の表示装置において、前記操作面設定部が、棒状の部材を前記操作面設定体として用いて前記操作面を設定することを特徴としている。
【００１６】
この構成によれば、表示部の画面に対応する操作面が棒状の部材を用いて設定される。したがって、操作者が例えば手や指を用いて操作面を設定できない場合であっても、操作面が容易に設定される。
【００１７】
また、上記構成の表示装置において、前記表示部の前記画面が矩形をなし、前記操作面設定部が、前記棒状の部材の少なくとも一部を前記表示部の前記画面の少なくとも一辺に対応付けて前記操作面を設定することを特徴としている。
【００１８】
この構成によれば、矩形をなす表示部の画面の一辺が棒状の部材の一部に対応するので、操作者は操作面の把握が容易になる。したがって、操作者は操作面を設定するための棒状の部材を表示部との間に配置することで、簡単に表示装置の遠隔操作を開始することができる。
【発明の効果】
【００１９】
本発明の構成によれば、リモコンや携帯機器を操作することなく簡便な動作で遠隔操作することが可能な表示装置を提供することができる。
【図面の簡単な説明】
【００２０】
【図１】本発明の第１実施形態に係る表示装置を示す構成図である。
【図２】本発明の第１実施形態に係る表示装置のブロック図である。
【図３】本発明の第１実施形態に係る表示装置の入力状態を示す説明図であって、操作者の後方上側から見た説明図である。
【図４】本発明の第１実施形態に係る表示装置の入力状態を示す説明図であって、操作者の側方から見た説明図である。
【図５】本発明の第１実施形態に係る表示装置の入力処理を示すフローチャートである。
【図６】本発明の第２実施形態に係る表示装置の入力状態を示す説明図であって、操作者の後方上側から見た説明図である。
【図７】本発明の第２実施形態に係る表示装置の入力状態を示す説明図であって、操作者の側方から見た説明図である。
【図８】本発明の第３実施形態に係る表示装置の入力状態を示す説明図であって、操作者の後方上側から見た説明図である。
【図９】本発明の第３実施形態に係る表示装置の入力状態を示す説明図であって、操作者の側方から見た説明図である。
【発明を実施するための形態】
【００２１】
以下、本発明の実施形態を図１〜図９に基づき説明する。
【００２２】
＜第１実施形態＞
最初に、本発明の第１実施形態に係る表示装置について、図１〜図４を用いてその構成を説明する。図１は表示装置を示す構成図、図２は表示装置のブロック図である。図３及び図４は表示装置の入力状態を示す説明図であって、操作者の後方上側から見た説明図及び操作者の側方から見た説明図である。なお、図３の右方が操作者にとっての右方であり、左方が操作者にとっての左方である。図３の紙面に対する奥行方向の手前側が操作者側であり、奥行き方向の奥側が表示部側である。図４の左方が操作者側であり、右方が表示部側である。
【００２３】
表示装置１は、図１及び図２に示すように検出部２、制御部３、記憶部４、操作面設定部５、入力画面処理部６、入力ポイント決定部７及び表示部８を備える。なお、表示装置１は例えばテレビジョン放送局やインターネットなどを通じて提供される放送信号から放送番組を再生する映像受信機であって、上記構成要素のほかに放送番組の再生に係る不図示の構成要素を備えるが、ここではそれらの説明を省略する。そして、表示装置１は表示部８に映し出されるコンテンツに対して操作者が任意に操作することができる入力装置の機能も有する。
【００２４】
検出部２は表示部８の画面の法線方向、すなわち表示装置１の視聴者（操作者）が存在する方向を向くよう表示装置１の本体部に設けられた、例えば光学的または電磁気的または音響的または熱的な検出能力を有するセンサを含む。検出部２は表示部８の画面の法線方向の空間に置かれた被検出体を検出し、その被検出体の空間情報、例えば被検出体の位置や形状、被検出体までの距離を導出する。例えば、検出部２は操作者全体と、操作者の身体の部位や操作者が手に持つ物などを検出するとともにそれらの空間情報を導出する。
【００２５】
制御部３は不図示の演算部やその他の電子部品で構成され、記憶部４等に予め記憶、入力されたプログラム、データに基づき、表示装置１の各構成要素から情報を得るとともにそれら構成要素の動作を制御して一連の被検出体の検出処理、画面処理及び表示処理を実現する。制御部３は操作面設定部５、入力画面処理部６及び入力ポイント決定部７を備える。なおここでは、制御部３が操作面設定部５、入力画面処理部６及び入力ポイント決定部７を備える構成としているが、制御部３とは別にして操作面設定部５、入力画面処理部６及び入力ポイント決定部７を備える構成であっても良い。
【００２６】
操作面設定部５は表示部８と操作者との間に、図３及び図４に示すように表示部８の画面に対応する仮想的な操作面Ｍを設定する。操作面Ｍは、例えば表示部８の画面に相似する矩形をなす。操作面設定部５は表示部８と操作者との間の空間に置かれた例えば操作者の体の一部である左手ＨＬを操作面設定体として用いて操作面Ｍを設定する。操作者はこの操作面Ｍに対して右手ＨＲの人差し指Ｆ６などを用いて表示部８に映し出されるコンテンツに係る入力操作を行うことができる。
【００２７】
操作面設定体として左手ＨＬを用いることに係る情報は操作面情報として記憶部４に予め記憶される。この場合、操作者は、図３及び図４に示すように左手ＨＬの手のひらを表示部８に向け、親指Ｆ１を除く４本の指Ｆ２〜Ｆ５を上方に伸ばし、親指Ｆ１を操作者の右方に伸ばす必要がある。これにより、操作面設定部５は記憶部４に記憶された左手ＨＬを用いた操作面情報と、検出部２が検出した左手ＨＬの空間情報とに基づき、図３に示すように広げた左手ＨＬにより規定される矩形の仮想的な操作面Ｍを設定する。
【００２８】
操作面設定部５が操作面Ｍを設定するにあたって、記憶部４は操作面情報に加えて操作者情報と入力画面情報とを記憶する。操作者情報としては例えば操作者の利き手や手の形状、大きさなどの情報が含まれる。入力画面情報としては例えば表示部８の形状、大きさなどの情報が含まれる。操作面設定部５は、例えば予め記憶された表示部８の画面の上下方向の長さ８ｙ及び横方向の長さ８ｘと、予め記憶された操作者の左手ＨＬの親指Ｆ１の付け根から人差し指Ｆ２の先端までの長さＭｙとの比率から、操作面Ｍの横方向の長さＭｘを導出して操作面Ｍの大きさを設定する。操作面Ｍの左下の頂点Ｍａが操作者の左手ＨＬの親指Ｆ１の人差し指Ｆ２との間の付け根の箇所に一致するよう操作面Ｍが設定される。操作面Ｍの左下の頂点Ｍａは表示部８の画面の左下の頂点８ａに対応する。
【００２９】
なお、記憶部４が予め記憶する情報として操作者情報は必須ではない。操作者の手の大きさ（例えば左手ＨＬの親指Ｆ１の付け根から人差し指Ｆ２の先端までの長さＭｙ）は入力の開始時に手のひらを表示部８に向ける際に測定することができる。操作面Ｍの大きさを設定する精度を向上させるために、上記のように操作者の手の大きさを記憶部４に予め記憶させておくことが好ましい。
【００３０】
入力画面処理部６は操作面設定部５が設定した操作面Ｍに係る情報と検出部２が検出した被検出体の空間情報とに基づき、操作面Ｍ内における被検出体の位置を示す検出ポイントＤを特定する。ここで、入力画面処理部６は操作面Ｍ内であって、操作面Ｍから操作者側に所定距離離れて操作面Ｍを投影した軌跡から得られる略直方体形状をなす空間内を、被検出体の検出領域Ｓとして設定する。そして、入力画面処理部６は検出領域Ｓ内で検出される複数の被検出体のうち、例えば最も表示部８に近いもの１点を被検出体として識別する。
【００３１】
図３及び図４に示すように左手ＨＬを用いて操作面Ｍを設定する場合、操作者は通常右手ＨＲを用いて表示部８に映し出されたコンテンツに対して入力操作を行うことになる。これにより、例えばタップ入力やドラッグ入力などを行うときのように入力ポイントが１点である場合に、操作者が操作面Ｍに対して伸ばした、検出領域Ｓ内で検出される右手ＨＲの人差し指Ｆ６の指先の位置を、入力画面処理部６は検出ポイントＤとして特定する。そして、入力画面処理部６は操作面Ｍ内の被検出体の位置を示す検出ポイントＤを表示部８の画面上に描画するための画面データに係る画像信号を生成する。
【００３２】
入力ポイント決定部７は操作面Ｍ内の被検出体が操作者側から表示部８側に向かって操作面Ｍに到達したことを識別する。さらに、入力ポイント決定部７は操作面Ｍに到達した被検出体の到達位置に係る検出ポイントＤを用いて操作面Ｍの１点を選択したこととする入力ポイントを決定する。なお、ここで述べる「入力ポイントの決定」とは、例えばタップ入力やドラッグ入力において指などがタッチパネル上の１点に接触した状態、或いはポインティングデバイスとしてのマウスでクリックした状態と同等であることを意味する。
【００３３】
また、操作者情報として例えば操作者の入力上の癖などの情報を記憶部４に記憶させても良い。例えば、タップ、ドラッグなどといった入力方法を予め操作者に操作面Ｍを用いて実施させ、その操作に係る癖や傾向を記憶した情報を用いて入力ポイントの位置条件を操作者情報として設定して使用しても良い。
【００３４】
表示部８は映像の表示に例えば矩形の略板状をなす液晶パネルを用いて、テレビジョン放送局などから提供されるコンテンツを画面に表示する。また、表示部８は入力画面処理部６から受け取った入力画面に係る画像信号に基づいて画面データを画面に表示する。すなわち、表示部８は図３に示すように操作者の右手ＨＲの人差し指Ｆ６の指先である検出ポイントＤに対応するポインタＰを画面に表示する。なお、例えば操作者が右手ＨＲの人差し指Ｆ６を検出領域Ｓ内で上下左右に移動させると、入力画面処理部６による処理に基づき表示部８の画面上のポインタＰもそれに連動して上下左右に移動する。
【００３５】
続いて、表示装置１における入力処理について、図３及び図４を用いて図５に示すフローに沿って説明する。図５は表示装置１の入力処理を示すフローチャートである。
【００３６】
ここでは、例えば表示装置１を用いて表示部８の画面上の１点を選択する入力を例に掲げて説明する。
【００３７】
表示装置１において表示部８の画面上の１点を選択する入力を行う場合、操作者は最初に入力操作の開始を告げる入力開始動作を表示装置１に対して示す。入力開始動作は、例えば図３及び図４に示すようにその左手ＨＬを広げ、手のひらを表示部８に向けることなどで良く、予め記憶部４などに記憶される。
【００３８】
入力開始動作を検出すると（図５のスタート）、制御部３は検出部２に操作者と操作面設定体、すなわち操作者の左手ＨＬを検出させる（ステップ＃１０１）。続いて、操作面設定部５が記憶部４に記憶された左手ＨＬを用いた操作面情報と、検出部２が検出した左手ＨＬの空間情報とに基づき、図３に示すように広げた左手ＨＬにより規定される矩形の仮想的な操作面Ｍを設定する（ステップ＃１０２）。
【００３９】
次に、入力画面処理部６からの情報に基づき、制御部３は検出領域Ｓにおいて被検出体を検出できたか否かを判別する（ステップ＃１０３）。被検出体を検出できなかった場合（ステップ＃１０３のＮｏ）、制御部３は再び被検出体を検出できたか否かを判別する。
【００４０】
検出領域Ｓにおいて被検出体、すなわち右手ＨＲの人差し指Ｆ６の指先を検出できた場合（ステップ＃１０３のＹｅｓ）、入力画面処理部６は操作面Ｍに係る情報と右手ＨＲの人差し指Ｆ６の指先の空間情報とに基づき、操作面Ｍ内における右手ＨＲの人差し指Ｆ６の指先の位置を示す検出ポイントＤを特定する（ステップ＃１０４）。続いて、入力画面処理部６が検出ポイントＤを表示部８の画面上に描画するための画像信号を出力し、表示部８がその画像信号に基づいて図３に示すように検出ポイントＤに対応するポインタＰを画面に表示する（ステップ＃１０５）。
【００４１】
次に、入力ポイント決定部７からの情報に基づき、制御部３は操作面Ｍ内の右手ＨＲの人差し指Ｆ６が操作者側から表示部８側に向かって操作面Ｍに到達したか否かを判別する（ステップ＃１０６）。人差し指Ｆ６の操作面Ｍへの到達を検出できなかった場合（ステップ＃１０６のＮｏ）、制御部３は再び到達を検出できたか否かを判別する。
【００４２】
右手ＨＲの人差し指Ｆ６の操作面Ｍへの到達を検出できた場合（ステップ＃１０６のＹｅｓ）、入力ポイント決定部７は操作面Ｍに到達した右手ＨＲの人差し指Ｆ６の到達位置に係る検出ポイントＤを用いて操作面Ｍの１点を選択したこととする入力ポイントを決定する（ステップ＃１０７）。このとき、入力ポイントに対応するポインタＰの箇所に、コンテンツが例えばキーやボタン、画像、ファイル、データなどの選択対象を提供している場合、その選択対象が表示装置１における入力処理に基づき選択される。
【００４３】
次に、制御部３は入力終了動作が検出できたか否かを判別する（ステップ＃１０８）。入力終了動作は、例えば図３及び図４に示すように左手ＨＬを広げて手のひらを表示部８に向けることを止めることなどで良く、予め記憶部４などに記憶される。入力終了動作が検出できなかった場合（ステップ＃１０８のＮｏ）、ステップ＃１０３に戻り、制御部３は再び検出領域Ｓにおいて被検出体を検出できたか否かを判別する。
【００４４】
入力終了動作が検出できた場合（ステップ＃１０８のＹｅｓ）、制御部３は表示装置１における入力処理を終了する（図５のエンド）。なお、図５を用いて説明した入力処理において、ステップ＃１０７で入力ポイントが決定するまでの間に例えば操作者が操作面設定体である左手ＨＬを表示部８の前方から退避させるなどした場合、この処理は中途終了する。
【００４５】
上記のように、本発明の実施形態に係る表示装置１は、表示部８と、表示部８の画面の法線方向の空間に置かれた被検出体を検出するとともに被検出体の空間情報を導出する検出部２と、表示部８の画面の法線方向の空間に置かれた操作面設定体を用いて表示部８の画面に対応する仮想的な操作面Ｍを設定する操作面設定部５と、操作面Ｍ内の被検出体である右手ＨＲの人差し指Ｆ６の位置を示す検出ポイントＤを表示部８の画面上に描画するための画面データに係る画像信号を生成する入力画面処理部６と、操作面Ｍ内の右手ＨＲの人差し指Ｆ６が操作者側から表示部８側に向かって操作面Ｍに到達したことを識別して操作面Ｍに到達した右手ＨＲの人差し指Ｆ６の到達位置に係る検出ポイントＤを用いて操作面Ｍの１点を選択したこととする入力ポイントを決定する入力ポイント決定部７と、を備える。
【００４６】
この構成によれば、表示装置１は表示部８と操作者との間の空間に表示部８の画面に対応する仮想的な操作面Ｍを設定する。そして、操作者が操作面Ｍに対して手指を近づけ操作面Ｍに到達させると、表示装置１は操作面Ｍに到達したその手指の到達位置において操作面Ｍの１点を選択したこととする入力ポイントを決定する。すなわち、その入力ポイントに対応する表示部８の画面上のポイント（ポインタＰの箇所）が選択される。したがって、操作者はリモコンや携帯機器を操作することなく簡便な動作で遠隔から入力操作を行うことができる。
【００４７】
また、表示装置１は、操作面設定部５が操作者の左手ＨＬを操作面設定体として用いて操作面Ｍを設定する。この構成によれば、表示部８の画面に対応する操作面Ｍが操作者の左手ＨＬを用いて設定される。したがって、表示装置１を遠隔操作するにあたって、操作者はリモコンや携帯機器を操作することなく、さらに他の部材も必要としない。そして、操作者は表示装置１の遠隔操作を素早く開始することができる。
【００４８】
さらに、表示装置１は、表示部８の画面が矩形をなし、操作面設定部５が操作者の左手ＨＬの手の親指Ｆ１の付け根から人差し指Ｆ２の先端まで部分を表示部８の画面の上下方向に延びる一辺に対応付けて操作面Ｍを設定する。この構成によれば、操作者は操作面Ｍを容易に把握することが可能である。したがって、操作者は操作面Ｍを設定するために左手ＨＬを広げ表示部８に向かって差し出すことで、簡単に表示装置１の遠隔操作を素早く開始することができる。
【００４９】
＜第２実施形態＞
次に、本発明の第２実施形態に係る表示装置について、図６及び図７を用いてその構成を説明する。図６及び図７は表示装置の入力状態を示す説明図であって、操作者の後方上側から見た説明図及び操作者の側方から見た説明図である。なお、この実施形態の基本的な構成は先に説明した第１実施形態と同じであるので、第１実施形態と共通する構成要素には前と同じ符号を付し、図面の記載及びその説明を省略するものとする。また、図６の右方が操作者にとっての右方であり、左方が操作者にとっての左方である。図６の紙面に対する奥行方向の手前側が操作者側であり、奥行き方向の奥側が表示部側である。図７の左方が操作者側であり、右方が表示部側である。
【００５０】
第２実施形態では、操作面設定部５が図６及び図７に示すように操作者の体の一部である例えば握り拳状にした左手ＨＬを操作面設定体として用いて操作面Ｍを設定する。操作面設定体として握り拳状にした左手ＨＬを用いることに係る情報は操作面情報として記憶部４に予め記憶される。これにより、操作面設定部５は記憶部４に記憶された握り拳状にした左手ＨＬを用いた操作面情報と、検出部２が検出した左手ＨＬの空間情報とに基づき、図６に示すように握り拳状にした左手ＨＬにより規定される矩形の仮想的な操作面Ｍを設定する。
【００５１】
なお、操作面Ｍの左下の頂点Ｍａが操作者の握り拳状にした左手ＨＬの、操作面情報として予め記憶部４に記憶された所定の一点に一致するよう操作面Ｍが設定される。操作面Ｍの左下の頂点Ｍａは表示部８の画面の左下の頂点８ａに対応する。さらに、操作面Ｍの大きさについても、記憶部４に記憶された操作面情報に基づき操作面Ｍの横方向の長さＭｘ、上下方向の長さＭｙが設定される。
【００５２】
上記のように、表示装置１は、表示部８の画面が矩形をなし、操作面設定部５が操作者の例えば握り拳状にした左手ＨＬのいずれかの一点を表示部８の画面の左下の頂点８ａに対応付けて操作面Ｍを設定する。この構成によれば、操作者は操作面Ｍを容易に把握することが可能になる。したがって、操作者は操作面Ｍを設定するための手を握り拳状にして表示部８に向かって差し出すことで、簡単に表示装置１の遠隔操作を素早く開始することができる。
【００５３】
この操作面Ｍの設定方法は、表示部８の画面の大きさが元々さほど大きくない場合に、または操作者が表示部８から遠く離れ操作者の視野に占める表示部８の画面の大きさがさほど大きくない場合に有効である。また、操作者が左手ＨＬに何か物を持っていて離すことができない場合などにも有効である。
【００５４】
＜第３実施形態＞
次に、本発明の第３実施形態に係る表示装置について、図８及び図９を用いてその構成を説明する。図８及び図９は表示装置の入力状態を示す説明図であって、操作者の後方上側から見た説明図及び操作者の側方から見た説明図である。なお、この実施形態の基本的な構成は先に説明した第１実施形態と同じであるので、第１実施形態と共通する構成要素には前と同じ符号を付し、図面の記載及びその説明を省略するものとする。また、図８の右方が操作者にとっての右方であり、左方が操作者にとっての左方である。図８の紙面に対する奥行方向の手前側が操作者側であり、奥行き方向の奥側が表示部側である。図９の左方が操作者側であり、右方が表示部側である。
【００５５】
第３実施形態では、操作面設定部５が図８及び図９に示すように床面上や机上に、表示部８の画面に対して略平行をなすように置かれた棒状部材Ｂを操作面設定体として用いて操作面Ｍを設定する。操作面設定体として棒状部材Ｂを用いることに係る情報は操作面情報として記憶部４に予め記憶される。これにより、操作面設定部５は記憶部４に記憶された棒状部材Ｂを用いた操作面情報と、検出部２が検出した棒状部材Ｂの空間情報とに基づき、図８に示すように棒状部材Ｂにより規定される矩形の仮想的な操作面Ｍを設定する。
【００５６】
なお、操作面Ｍの左下の頂点Ｍａが棒状部材Ｂの操作者側から見た左端部に一致するよう操作面Ｍが設定される。操作面Ｍの左下の頂点Ｍａは表示部８の画面の左下の頂点８ａに対応する。さらに、操作面Ｍの大きさについては、記憶部４に記憶された操作面情報に基づき、表示部８の画面の下辺、すなわち操作面Ｍの下辺が表示部８の画面に対して略平行に延びる棒状部材Ｂの全体に対応するよう操作面Ｍが設定される。操作面Ｍの上下方向の長さＭｙは、表示部８の画面情報に基づき横方向の長さＭｘ（棒状部材Ｂ全体の長さ）との比率から設定される。
【００５７】
上記のように、操作面設定部５が棒状部材Ｂを操作面設定体として用いて操作面Ｍを設定するので、操作者が例えば手や指を用いて操作面Ｍを設定できない場合であっても、操作面Ｍを容易に設定することができる。
【００５８】
また、表示装置１は、表示部８の画面が矩形をなし、操作面設定部５が棒状部材Ｂの全体を表示部８の画面の下辺に対応付けて操作面Ｍを設定する。この構成によれば、操作者は操作面Ｍを容易に把握することが可能になる。したがって、操作者は操作面Ｍを設定するための棒状部材Ｂを表示部８との間に配置することで、簡単に表示装置１の遠隔操作を開始することができる。
【００５９】
この操作面Ｍの設定方法は、操作者がけがや病気で手を使うことができない場合であっても表示装置１を用いた入力操作を行うことができ、有効である。
【００６０】
以上、本発明の実施形態につき説明したが、本発明の範囲はこれに限定されるものではなく、発明の主旨を逸脱しない範囲で種々の変更を加えて実施することができる。
【００６１】
例えば、第１実施形態では、操作面設定体としての左手ＨＬに関して、親指Ｆ１を除く４本の指Ｆ２〜Ｆ５を上方に伸ばし、親指Ｆ１を操作者の右方に伸ばすこととしたが、親指Ｆ１を除く４本の指Ｆ２〜Ｆ５を操作者の右方に伸ばし、親指Ｆ１を上方に伸ばすことにしても良い。また、第１実施形態において、右手ＨＲを操作面設定体として用いても良い。
【００６２】
また、第２実施形態では、握り拳状にした左手ＨＬを操作面設定体として用いて操作面Ｍを設定することとしたが、操作面設定体が握り拳に限定されるわけではない。操作者が手を広げることなく、手のいずれかの一点を表示部８の画面のいずれかの頂点に対応付けて操作面Ｍを設定することができれば、他の形態であっても良い。また、第２実施形態における握り拳状にした左手ＨＬの向きは、図６及び図７に例示した向きに限定されるものではない。また、第２実施形態において、右手ＨＲを操作面設定体として用いても良い。
【００６３】
また、第３実施形態では、操作面設定体として用いた棒状部材Ｂについて真っ直ぐに延びる最も簡単な構造の部材を一例として説明したが、これに限定されるわけではない。棒状部材Ｂとしては、例えば鉛筆やボールペン、箸などの部材を用いることができる。また、棒状の部材が、例えばＬ字形状をなす構造のものであっても良い。
【産業上の利用可能性】
【００６４】
本発明は表示装置において利用可能である。
【符号の説明】
【００６５】
１    表示装置
２    検出部
３    制御部
４    記憶部
５    操作面設定部
６    入力画面処理部
７    入力ポイント決定部
８    表示部
【図１】
2015035151.tif 000003
【図２】
2015035151.tif 000004
【図３】
2015035151.tif 000005
【図４】
2015035151.tif 000006
【図５】
2015035151.tif 000007
【図６】
2015035151.tif 000008
【図７】
2015035151.tif 000009
【図８】
2015035151.tif 000010
【図９】
2015035151.tif 000011